(57)【要約】【課題】圧縮機の停止時における庫内温度の上昇の遅延を可能とすること。【解決手段】冷却貯蔵庫は、庫内温度を検知する庫内温度センサと、庫内ファンと、圧縮機の停止時に冷却器に冷媒を溜める冷媒貯留構造と、庫内温度センサによって検知された庫内温度に基づいて、庫内温度が目標庫内温度範囲内となるように冷却回路および庫内ファンを制御する制御部と、を備える。制御部は、圧縮機の動作中において庫内温度が所定の停止温度以下まで低下した際に庫内ファンを停止させる停止処理（Ｓ２０）と、庫内ファンを停止させてから所定時間、圧縮機を継続して動作させる継続処理（Ｓ３０）と、圧縮機の停止中に庫内ファンを動作させる動作処理（Ｓ４０）と、を実行する。【選択図】図５
2019120460.tif 000002
【特許請求の範囲】
【請求項１】
圧縮機、凝縮器、および冷却器を含み、冷媒が循環する冷却回路を備えた冷却貯蔵庫であって、
貯蔵室と、
庫内温度を検知する庫内温度センサと、
前記冷却器の冷気を前記貯蔵室内に循環させる庫内ファンと、
前記圧縮機の停止時に前記冷却器に前記冷媒を溜める冷媒貯留構造と、
前記庫内温度センサによって検知された前記庫内温度に基づいて、前記庫内温度が目標庫内温度範囲内となるように前記冷却回路および前記庫内ファンを制御する制御部と、を備え、
前記制御部は、
前記圧縮機の動作中において前記庫内温度が所定の停止温度以下まで低下した際に前記庫内ファンを停止させる停止処理と、
前記庫内ファンを停止させてから所定時間、前記圧縮機を継続して動作させる継続処理と、
前記圧縮機の停止中に前記庫内ファンを動作させる動作処理と、を実行する、冷却貯蔵庫。
【請求項２】
請求項１に記載の冷却貯蔵庫において、
前記冷却器は、当該冷却器の上方部に位置し前記冷媒が入力される配管入力部と、当該冷却器の上方部に位置し前記冷媒が出力される配管出力部とを有する冷媒配管を含み、
前記冷媒貯留構造は、前記冷媒配管の構造によって構成されている、冷却貯蔵庫。
【請求項３】
請求項１に記載の冷却貯蔵庫において、
前記冷却器は、当該冷却器の上方部に位置し前記冷媒が入力される配管入力部と、前記冷媒が出力される配管出力部とを有する冷媒配管を含み、
前記冷却回路は、前記配管出力部に接続され、少なくとも前記冷却器の上方部に位置する上方部位を含む冷媒出口部を有し、前記冷却器から前記圧縮機に前記冷媒を還流させる冷媒還流路を含み、
前記冷媒貯留構造は、前記冷媒配管の構造と前記冷媒還流路の構造とによって構成されている、冷却貯蔵庫。
【請求項４】
請求項１から請求項３の何れか一項に記載の冷却貯蔵庫において、
前記停止温度は、前記目標庫内温度範囲の最低温度である、冷却貯蔵庫。
【請求項５】
請求項１から請求項４の何れか一項に記載の冷却貯蔵庫において、
前記凝縮器を冷却する凝縮器ファンを備え、
前記制御部は、
圧縮機の動作中において前記庫内温度が所定の停止温度まで低下した際に、前記凝縮器ファンの冷却能力を低下させる冷却調整処理を、さらに実行する、冷却貯蔵庫。
【請求項６】
請求項５に記載の冷却貯蔵庫において、
前記制御部は、前記冷却調整処理において、前記凝縮器ファンを停止させる、冷却貯蔵庫。
【発明の詳細な説明】
【技術分野】
【０００１】
本発明は、冷却貯蔵庫に関し、詳しくは、冷却貯蔵庫の消費電力を低減させる技術に関する。
【背景技術】
【０００２】
冷却貯蔵庫の消費電力を低減させる技術としては、例えば、特許文献１に記載されたような技術が知られている。特許文献１では、圧縮機の停止時に庫内庫内ファンの断続運転を行うことによって、消費電力を低減させる技術が開示されている。
【先行技術文献】
【特許文献】
【０００３】
【特許文献１】特開平９−１６６３７７号公報
【発明の概要】
【発明が解決しようとする課題】
【０００４】
しかしながら、冷凍サイクルのＯＦＦ時、すなわち圧縮機のＯＦＦ時には、高圧の冷媒と低圧の冷媒とがバランスしようとし、それに伴って冷却器の温度の上昇が大きくなる。そのため、庫内ファンによって庫内に送られる冷気も温度上昇したものとなり、それによって庫内温度も上昇も速くなる。このことは、圧縮機のＯＦＦ時間に影響を及ぼすこととなっていた。すなわち、圧縮機のＯＦＦ時間を短縮させることとなり、それは省電力化に対して不都合となる要因となっていた。そのため、圧縮機の停止時における庫内温度の上昇を遅延させて省電力化する技術が所望されていた。
本明細書に開示される技術は上記のような事情に基づいて完成されたものであって、圧縮機の停止時における庫内温度の上昇を遅延させることが可能な冷却貯蔵庫を提供する。
【課題を解決するための手段】
【０００５】
本明細書に開示される冷却貯蔵庫は、圧縮機、凝縮器、および冷却器を含み、冷媒が循環する冷却回路を備えた冷却貯蔵庫であって、貯蔵室と、庫内温度を検知する庫内温度センサと、前記冷却器の冷気を前記貯蔵室内に循環させる庫内ファンと、前記圧縮機の停止時に前記冷却器に前記冷媒を溜める冷媒貯留構造と、前記庫内温度センサによって検知された前記庫内温度に基づいて、前記庫内温度が目標庫内温度範囲内となるように前記冷却回路および前記庫内ファンを制御する制御部と、を備え、前記制御部は、前記圧縮機の動作中において前記庫内温度が所定の停止温度以下まで低下した際に前記庫内ファンを停止させる停止処理と、前記庫内ファンを停止させてから所定時間、前記圧縮機を継続して動作させる継続処理と、前記圧縮機の停止中に前記庫内ファンを動作させる動作処理と、を実行する。
【０００６】
本構成によれば、冷媒貯留構造によって、圧縮機の停止時に冷却器に冷媒を溜めることができる。このように冷却器に冷媒を溜めた状態で、圧縮機の停止後に庫内ファンを動作させて冷却器に風を送ることによって効果的に熱交換させて冷媒を蒸発させて、冷気を生成することができる。生成された冷気は庫内ファンによって庫内に送ることができる。それによって、庫内温度の上昇が遅延される。すなわち、圧縮機の停止時における庫内温度の上昇を遅延させてことができる。その結果、圧縮機のオフ期間を長くすることができ、それによって冷却貯蔵庫のトータルの消費電力量を低減することができる。なお、「動作処理」には、庫内ファンを、間欠動作させること、連続動作させること、および回転速度を調整して動作させることが含まれる。
【０００７】
上記冷却貯蔵庫において、前記冷却器は、当該冷却器の上方部に位置し前記冷媒が入力される配管入力部と、当該冷却器の上方部に位置し前記冷媒が出力される配管出力部とを有する冷媒配管を含み、前記冷媒貯留構造は、前記冷媒配管の構造によって構成されているようにしてもよい。
本構成によれば、冷媒貯留構造は、冷却器の上方部に位置する、配管入力部および配管出力部を有する冷媒配管によって構成される。簡易な構成によって、冷却器内に冷媒を溜める構成（冷媒貯留構造）を実現できる。
【０００８】
また、上記冷却貯蔵庫において、前記冷却器は、当該冷却器の上方部に位置し前記冷媒が入力される配管入力部と、前記冷媒が出力される配管出力部とを有する冷媒配管を含み、前記冷却回路は、前記配管出力部に接続され、少なくとも前記冷却器の上方部に位置する上方部位を含む冷媒出口部を有し、前記冷却器から前記圧縮機に前記冷媒を還流させる冷媒還流路を含み、前記冷媒貯留構造は、前記冷媒配管の構造と前記冷媒還流路の構造とによって構成されているようにしてもよい。
本構成によれば、冷媒還流路は、配管出力部に接続され、少なくとも冷却器の上方部に位置する上方部位を含む冷媒出口部を有している。そのため、配管出力部が冷却器の下方部に配置される場合であっても冷媒出口部の上方部位によって圧縮機の停止時に冷媒を冷却器内に溜めることができる。すなわち、冷媒配管の構造と前記冷媒還流路の構造とによって冷媒貯留構造を構築することができる。
【０００９】
また、上記冷却貯蔵庫において、前記停止温度は、前記目標庫内温度範囲の最低温度であるようにしてもよい。
本構成によれば、停止温度が目標庫内温度範囲の最低温度とされるため、圧縮機のオフ時の庫内温度をオン時の庫内温度まで上昇する時間を長くすることができる。すなわち、圧縮機のオフ期間を長くすることができる。また、庫内温度制御において目標庫内温度範囲の最低温度は、通常の設定されている温度なので、通常の庫内温度制御に何ら悪影響を与えることなく、停止処理を実行できる。
【００１０】
また、上記冷却貯蔵庫において、前記凝縮器を冷却する凝縮器ファンを備え、前記制御部は、圧縮機の動作中において前記庫内温度が所定の停止温度まで低下した際に、前記凝縮器ファンの冷却能力を低下させる冷却調整処理を、さらに実行するようにしてもよい。
本構成によれば、庫内温度が停止温度以下に低下した場合に、圧縮機をオンした状態において、庫内ファンが停止されるとともに、冷却調整処理によって、凝縮器ファンの冷却能力が低下させられる。それによって凝縮能力が低下させられ、冷媒温度の低下も少なく、それによって冷媒の圧力も高くなる。このとき、圧縮機は動作中であるため、冷媒循環量が増加し、それによって圧縮機を停止した際に冷却器に溜まる冷媒量を増加させることができる。その結果、圧縮機停止時間をより長くすることができ、より消費電力を低減することができる。なお、ここで用語「冷却調整」には、凝縮器ファンをオフ（停止）させること、凝縮器ファンを一時的にオフさせること、凝縮器ファンを間欠動作させること、および凝縮器ファンの回転速度を低下させることが含まれる。
【００１１】
また、上記冷却貯蔵庫において、前記制御部は、前記冷却調整処理において、前記凝縮器ファンを停止させるようにしてもよい。
本構成によれば、凝縮器ファンを停止させることによって凝縮器ファンの冷却能力（凝縮能力）を最大限低下させることができる。それによって冷却調整処理を、圧縮機を継続運転する継続処理中に確実に行うことができ、冷却器に溜まる冷媒量を確実に増加させることができる。
【発明の効果】
【００１２】
本発明の冷却貯蔵庫によれば、圧縮機の停止時における庫内温度の上昇を遅延させることができる。
【図面の簡単な説明】
【００１３】
【図１】実施形態１に係る冷却貯蔵庫の内部構造を示す概略断面図
【図２】冷却回路の構成体の斜視図
【図３】冷却回路の構成図
【図４】制御部の接続構成を示すブロック図
【図５】冷却回路制御を示す概略的なフローチャート
【図６】冷却回路制御に係るタイミングチャート
【図７】実施形態２に係る冷却回路制御を示す概略的なフローチャート
【図８】実施形態２に係る冷却回路制御に係るタイミングチャート
【図９】冷媒出口部の別の例を示す概略的な斜視図
【発明を実施するための形態】
【００１４】
＜実施形態１＞
本発明に係る実施形態１を図１ないし図６を参照して説明する。実施形態１では、冷却貯蔵庫として横型（テーブル型）の冷蔵庫を例示する。なお、冷却貯蔵庫は、横型の冷蔵庫に限られず、例えば、横型の冷凍庫であってもよいし、あるいは縦型の冷蔵庫であってもよい。
【００１５】
１．冷却貯蔵庫の構成
冷却貯蔵庫１０は、図１に示すように、横長の箱体である貯蔵庫本体１１を備える。貯蔵庫本体１１は、ステンレス鋼板等の金属板を主体として構成されており、貯蔵室１３を有している。貯蔵室１３は前面に開口した横長の断熱箱体により構成され、底面の四隅に設けられた脚１２によって支持されている。貯蔵室１３の前面の開口には揺動式の断熱扉（図示せず）が開閉可能に装着されている。
【００１６】
貯蔵庫本体１１の正面から見た左側部には、機械室１４が設けられている。機械室１４内の上部の奥側には、貯蔵室１３とダクト１５を介して連通した断熱性の冷却器室１６が張り出し形成され、ここに冷却器１７と庫内ファン１８とが設けられているとともに、機械室１４の下方には、冷凍ユニット２０が出し入れ可能に収納されている。また、貯蔵室１３に、ダクト１５を張ることで冷却器室１６が形成され、ここに冷却器１７と庫内ファン１８とが設けられている。
【００１７】
冷凍ユニット２０は、図１および図２に示すように、圧縮機２１と、圧縮機２１の冷媒吐出側に接続した凝縮器２２とを基台２３上に設置したものであり、併せて凝縮器２２を空冷するための凝縮器ファン２２Ａも搭載されている。
【００１８】
冷却回路５は、図３に示すように、圧縮機２１、凝縮器２２、冷媒供給路２６、電磁膨張弁２７、冷却器１７、および冷媒還流路３０等によって構成されている。凝縮器２２の出口側管路から冷媒供給路２６が配管されている。冷媒供給路２６には、電磁膨張弁２７と冷却器１７とが直列に設けられている。冷却器１７の出口側管路は、冷媒還流路３０として圧縮機２１の吸入側に接続されている。凝縮器２２の出口には、凝縮器２２における冷媒の温度を検知する凝縮器出口サーミスタ３５が設けられている。なお、凝縮器２２における冷媒の温度を検出する場所は、凝縮器２２の出口に限られない。
【００１９】
冷却器１７内には、複数の水平部を有する冷媒配管１７Ａが設けられている。水平部は上下方向および水平方向のＵターンを繰り返すことによって冷却器１７の上部から下部に向けて徐々に降下し、さらに、同様に冷却器１７の下部から上部に向けて徐々に上昇するように設けられている。
【００２０】
また、冷媒配管１７Ａは、冷却器１７の上方部に位置し冷媒が入力される配管入力部１７ｉｎと、同様に冷却器１７の上方部に位置し冷媒が出力される配管出力部１７ｏｕｔとを有する。このような冷媒配管１７Ａの構造によって、圧縮機２１の停止時に冷却器１７内に冷媒を溜めることができる。すなわち、実施形態１では、冷媒配管１７Ａの構造が冷媒貯留構造２８を構成する。
【００２１】
また、冷媒供給路２６の冷却器１７への入口部（以下、単に冷媒入口部と記す）２６ｉｎ、および、冷媒還流路３０の冷却器１７からの出口部（以下、単に冷媒出口部と記す）３０ｏｕｔは、図２に示されるように、冷却器１７の上方部において冷媒配管１７Ａに接続されている。この構造によって、圧縮機２１の停止時に冷媒が冷却器１７の冷媒配管１７Ａ内に溜りやすい構造となっている。このように本実施形態では、冷媒出口部３０ｏｕｔが、冷却器１７の上方部に接続されているため、簡易な構成で冷却器内に冷媒を溜める構成を実現できる。
【００２２】
貯蔵室１３には、庫内温度ＴＲを検知する庫内サーミスタ（「庫内温度センサ」の一例）３１が設けられている。庫内サーミスタ３１は、例えば、冷却器室１６の入口部分に配されている。さらに、貯蔵室１３におけるそれぞれの前面開口部の全周に亘って、防露ヒータ３４が埋設されている。
【００２３】
制御部４０は、冷却貯蔵庫全体の各機器の動作制御を行うものであり、例えば、後述する庫内ファン１８のＯＮ／ＯＦＦ（オン／オフ）制御を行う。制御部４０は、図４に示されるように、ＣＰＵ４１、メモリ４２、およびタイマ４３等を含む。メモリ４２には、ＣＰＵ４１が実行する各種のプログラムが格納されている。また、メモリ４２には、プログラム実行中に取得、および算出した各種データが格納される。タイマ４３は、機器の制御に伴う各種時間の計測に使用される。制御部４０は、図４に示されるように、圧縮機２１、庫内ファン１８、凝縮器ファン２２Ａ、庫内サーミスタ３１、および凝縮器出口サーミスタ３５等に、電気的に接続されている。
【００２４】
３．庫内ファン制御
次いで、メモリ４２に格納された所定のプログラムにしたがって、制御部４０、詳しくは、ＣＰＵ４１によって実行される庫内ファン制御について図５および図６を参照して説明する。庫内ファン制御は、庫内ファン１８のオン・オフ制御によって庫内温度ＴＲを目標庫内温度範囲に維持する冷却回路制御の一環として実行される。図６に示されるタイミングチャートでは、庫内ファン制御に係る各部のみの時間推移が示され、また、便宜上、図６の時刻ｔ０において庫内ファン制御が開始されるものとして、庫内ファン制御を説明する。
【００２５】
例えば、図６の時刻ｔ０において、庫内サーミスタ３１によって検知される庫内温度ＴＲが、目標設定温度Ｔｏの上限値（以下「ＯＮ温度」と記す）Ｔｏｎに達したとすると、ＣＰＵ４１は、圧縮機２１、庫内ファン１８、および凝縮器ファン２２Ａをオンするとともに、電磁膨張弁２７を開放して冷却器１７に冷媒を供給する。その際、庫内ファン１８を高速運転させて冷却器１７付近で生成された冷気が貯蔵室１３に循環供給されることで、貯蔵室１３内が冷却される（冷却サイクル）。ここで、目標設定温度Ｔｏは、例えば＋３℃とされ、ＯＮ温度Ｔｏｎは、例えば＋５℃とされる。
【００２６】
次いで、ＣＰＵ４１は、庫内温度ＴＲが庫内ファン１８を停止させる停止温度Ｔｓｔ以下に低下したか否を判断する（ステップＳ１０）。本実施形態では、停止温度ＴｓｔはＯＦＦ温度Ｔｏｆｆとされ、ＯＦＦ温度Ｔｏｆｆは、例えば、１．５℃とされる。すなわち、本実施形態では、目標庫内温度範囲は、１．５℃から＋５℃までとされる。また、ＯＦＦ温度Ｔｏｆｆは、「目標庫内温度範囲の最低温度」に相当する。
【００２７】
このように、本実施形態では、停止温度Ｔｓｔが目標庫内温度範囲の最低温度であるＯＦＦ温度Ｔｏｆｆとされるため、圧縮機２１のオフ時の庫内温度ＴＲを、オン時の庫内温度（ＯＮ温度Ｔｏｎ）まで上昇する時間を長くすることができる。すなわち、圧縮機２１のオフ期間を長くすることができる。また、庫内温度制御において目標庫内温度範囲の最低温度Ｔｏｆｆは、通常、設定されている温度なので、通常の庫内温度制御に何ら悪影響を与えることなく、本実施形態の停止処理を実行できる。
【００２８】
庫内温度ＴＲがＯＦＦ温度Ｔｏｆｆ以下でないと判断した場合、すなわち、庫内温度ＴＲが、まだＯＦＦ温度Ｔｏｆｆ以下まで低下していないと判断した場合（ステップＳ１０：ＮＯ）は、ＣＰＵ４１はステップＳ１０の処理を繰り返す。
一方、庫内温度ＴＲがＯＦＦ温度Ｔｏｆｆ以下であると判断した場合、すなわち、庫内温度ＴＲが、ＯＦＦ温度Ｔｏｆｆ以下まで低下したと判断した場合（ステップＳ１０：ＹＥＳ）は、このタイミング（図６の時刻ｔ１）において、ＣＰＵ４１は、庫内ファン１８を停止させる（ステップＳ２０）。このように本実施形態では、圧縮機２１が動作中に、庫内ファン１８がＯＦＦされ停止される。ステップＳ２０の処理は、「停止処理」に相当する。
【００２９】
続いて、ＣＰＵ４１は、庫内ファン１８を停止させた時刻ｔ１から所定の継続時間Ｋ１が経過したか否を判断する（ステップＳ３０）。ここで、継続時間Ｋ１は、時刻ｔ１から圧縮機２１を継続して動作させる時間であり、少なくとも、庫内ファン１８の停止後において新たに冷媒を冷却器１７まで循環させることができる時間である。継続時間Ｋ１は、例えば、事前に実験等によって決定される。所定の継続時間Ｋ１は、「所定時間」に相当する。
【００３０】
継続時間Ｋ１が経過していないと判断した場合（ステップＳ３０：ＮＯ）、ＣＰＵ４１は、ステップＳ３０の処理を繰り返す。
一方、継続時間Ｋ１が経過したと判断した場合（ステップＳ３０：ＹＥＳ）は、このタイミング（図６の時刻ｔ２）において、ＣＰＵ４１は、圧縮機２１および凝縮器ファン２２Ａを停止させるとともに、庫内ファン１８の間欠動作を開始する（ステップＳ４０）。庫内ファン１８の間欠動作では、例えば、１５秒間ＯＮと１００秒間ＯＦＦとが交互に行われる。ステップＳ３０の処理、およびステップＳ４０の一部の処理は、「継続処理」に相当する。また、ステップＳ４０の一部の処理は、「動作処理」に相当する。なお、「動作処理」には、庫内ファン１８を、間欠動作させること、連続動作させること、および回転速度を調整して動作（速調制御）させることが含まれる。そのため、ステップＳ４０での庫内ファン１８の動作は、間欠動作に限られない。
【００３１】
次いで、ＣＰＵ４１は、庫内温度ＴＲがＯＮ温度Ｔｏｎ以上に上昇したか否を判断する（ステップＳ５０）。庫内温度ＴＲがＯＮ温度Ｔｏｎ以上でないと判断した場合、すなわち、庫内温度ＴＲが、まだＯＮ温度Ｔｏｎ以上まで上昇していないと判断した場合（ステップＳ５０：ＮＯ）は、ステップＳ５０の処理を繰り返す。
【００３２】
一方、庫内温度ＴＲがＯＮ温度Ｔｏｎ以上であると判断した場合、すなわち、庫内温度ＴＲが、ＯＮ温度Ｔｏｎ以上まで上昇したと判断した場合（ステップＳ５０：ＹＥＳ）は、このタイミング（図６の時刻ｔ３）において、ＣＰＵ４１は、圧縮機２１、庫内ファン１８、および凝縮器ファン２２Ａをオンして作動させて、ステップＳ１０の処理に戻る。以下、ＣＰＵ４１は、ステップＳ１０からステップＳ６０までの処理を繰り返し、庫内温度ＴＲをＯＦＦ温度ＴｏｆｆからＯＮ温度Ｔｏｎまでの間、すなわち、目標庫内温度範囲内に維持する。
【００３３】
なお、比較例として、図６には時刻ｔ１において圧縮機２１および凝縮器ファン２２ＡがＯＦＦされて停止される従来の例が点線で示される。図６に示されるように、本実施形態の圧縮機停止時間ＫＳ２は、比較例の圧縮機停止時間ＫＳ１と比較して、長くなっている。言い換えれば、圧縮機２１が再度ＯＮされる時刻ｔ３が、比較例の時刻（ｔ３−１）より遅延されている。そのため、圧縮機２１のトータルのＯＮ時間を比較例に比べて短縮でき、それによって、冷却貯蔵庫１０の消費電力を低減することができる。
【００３４】
４．実施形態１の効果
冷媒貯留構造２８によって、圧縮機２１の停止時に冷却器１７に冷媒を溜めることができる。このように冷却器１７に冷媒を溜めた状態で、圧縮機２１の停止後に庫内ファン１８を動作させて冷却器１７に風を送ることによって効果的に熱交換させて冷媒を蒸発させて、冷気を生成することができる。生成された冷気は庫内ファン１８によって庫内に送ることができる。それによって、庫内温度ＴＲの上昇が遅延される。すなわち、圧縮機２１の停止時における庫内温度ＴＲの上昇を遅延させてことができる。その結果、圧縮機２１のオフ期間ＫＳ２を長くすることができ、それによって冷却貯蔵庫１０のトータルの消費電力量を低減することができる。
すなわち、図６に示されるように、ＯＦＦ温度Ｔｏｆｆ以下に低下した場合に圧縮機２１をオフする場合（破線のグラフで示される）の圧縮機停止時間ＫＳ１（時刻ｔ１から時刻（ｔ３−１）まで）と比べて、圧縮機停止時間ＫＳ２（時刻ｔ２から時刻ｔ３まで）をより長くすることができる。それによって冷却貯蔵庫１０のトータルの消費電力量を低減することができる。
【００３５】
＜実施形態２＞
次に、図７および図８を参照して実施形態２を説明する。なお、実施形態１とは冷凍サイクル制御における凝縮器ファン２２ＡのＯＮ／ＯＦＦ制御のみが異なるため、その相違点のみを説明する。すなわち、図８に示されるように、上記継続時間Ｋ１内において凝縮器ファン２２Ａが間欠動作されることが、実施形態１と異なる。
【００３６】
詳細には、図７に示されるように、ステップＳ１０において庫内温度ＴＲがＯＦＦ温度Ｔｏｆｆ以下であると判断した場合（ステップＳ１０：ＹＥＳ）は、ＣＰＵ４１は、庫内ファン１８を停止させるとともに、凝縮器ファン２２Ａの冷却能力を調整する（ステップＳ２０Ａ：時刻ｔ１参照）。ここで、凝縮器ファン２２Ａの冷却能力の調整は、冷却能力、言い換えれば凝縮能力を低下させて、凝縮器出口サーミスタ３５の検知温度ＲＥＦを、通常の冷凍サイクル運転時の温度より上昇させるために行われる。ステップＳ２０Ａの処理は、凝縮器ファン２２Ａの冷却能力を低下させる「冷却調整処理」の一例である。冷却調整処理には、凝縮器ファン２２Ａの回転速度（回転数）を低下させること、凝縮器ファン２２Ａを間欠動作させること、あるいは凝縮器ファン２２Ａを停止させることが含まれる。本実施形態では、図８に示されるように、凝縮器ファン２２Ａが間欠動作される（時刻ｔ１、ｔ１Ａ参照）。
【００３７】
次いで、ＣＰＵ４１は、凝縮器出口サーミスタ３５の検知温度ＲＥＦが所定温度以上であるか否かを判断する（ステップＳ２２）。ここで所定温度は、例えば、５０℃から５３℃までの温度とされる。また、凝縮器ファン２２Ａの通常の回転可変制御時の検知温度ＲＥＦは、例えば、３９℃から４２℃までの温度とされる。なお、冷媒温度を検出する場所は、凝縮器２２の出口に限られない。
冷媒温度が所定温度以上でないと判断した場合（ステップＳ２２：ＮＯ）は、ステップＳ３０の処理に移行する。一方、冷媒温度が所定温度以上であると判断した場合（ステップＳ２２：ＹＥＳ）、ＣＰＵ４１は、凝縮器ファン２２Ａの回転速度を通常の回転速度に戻す（ステップＳ２４）。
【００３８】
次いで、ＣＰＵ４１は、実施形態１と同様のステップＳ３０以降の処理を行う。なお、実施形態２では、ステップＳ３０の処理において、継続時間Ｋ１が経過していないと判断した場合（ステップＳ３０：ＮＯ）、ＣＰＵ４１は、ステップＳ２２の処理に戻る。
【００３９】
５．実施形態２の効果
庫内温度ＴＲがＯＦＦ温度Ｔｏｆｆ（停止温度）以下に低下した場合に、圧縮機２１をオンした状態において、庫内ファン１８が停止されるとともに、凝縮器出口サーミスタ３５の検知温度ＲＥＦが、通常の温度よりも高い温度となるまで、凝縮器ファン２２Ａも一時期、停止される。このように、凝縮器ファン２２Ａを停止することによって、凝縮器出口サーミスタ３５の検知温度ＲＥＦ、すなわち冷媒温度が通常の温度よりも高くなり、それによって冷媒の圧力も高くなる。このとき、圧縮機２１は動作中であるため、冷媒循環量が増加し、それによって圧縮機２１を停止した際に冷却器１７に溜まる冷媒量を増加させることができる。その結果、図８に示されるように、実施形態１の圧縮機停止時間ＫＳ２（時刻ｔ２から時刻ｔ３まで）と比べて、圧縮機停止時間ＫＳ３（時刻ｔ２から時刻ｔ４まで）をより長くすることができ、より消費電力を低減することができる。
【００４０】
＜他の実施形態＞
本発明は上記記述及び図面によって説明した実施形態に限定されるものではなく、例えば次のような実施形態も本発明の技術的範囲に含まれる。
【００４１】
（１）上記各実施形態では、冷却器１７の上方部に位置する、配管入力部１７ｉｎと配管出力部１７ｏｕｔとを有する冷媒配管１７Ａの構成によって冷媒貯留構造２８を構成する例を示したが、冷媒貯留構造の構成はこれに限られない。例えば、冷媒貯留構造は、上下方向にＵターンを繰り返す複数の鉛直部を有し、冷却器１７の下方部に位置する、配管入力部１７ｉｎおよび配管出力部１７ｏｕｔを有する冷媒配管１７Ａによって構成されてもよい。
【００４２】
あるいは、冷却器１７は、当該冷却器の上方部に位置し冷媒が入力される配管入力部と、冷媒が出力される配管出力部とを有する冷媒配管を含み、冷却回路５は、配管出力部に接続され、少なくとも冷却器の１７上方部に位置する上方部位を含む冷媒出口部を有し、冷却器１７から圧縮機２１に冷媒を還流させる冷媒還流路を含む構成とする。そして、冷媒貯留構造は、冷媒配管の構造と冷媒還流路の構造とによって構成されるようにしてもよい。すなわち、例えば、図９に示されるように、配管出力部１７ｏｕｔが冷却器１７の下方部に位置し、冷媒出口部３０ｏｕｔが冷却器１７の下部に近いところに配置される場合において、冷媒還流路３０が冷媒出口部３０ｏｕｔの近くに立ち上げ部３０ｕｐを有する構成であってもよい。
この場合であっても、圧縮機２１の停止時に、立ち上げ部３０ｕｐによって冷却器１７からの冷媒の流出を止めて、冷媒を冷却器１７内に溜りやすくできる。要は、配管入力部が冷却器の上方部に位置し配管出力部が冷却器の下方部に位置する冷媒配管１７Ａの構成において、冷媒出口部３０ｏｕｔは、少なくとも冷却器の上方部に位置する上方部位を含む構成であればよい。この場合、立ち上げ部３０ｕｐは「上方部位」の一例である。
【００４３】
（２）上記各実施形態では、庫内ファン１８を停止させる停止温度Ｔｓｔを目標設定温度Ｔｏの下限値であるＯＦＦ温度Ｔｏｆｆとする例を示したがこれに限られない。停止温度Ｔｓｔは、例えば、庫内温度ＴＲの目標設定温度Ｔｏより低く、ＯＦＦ温度Ｔｏｆｆより高い範囲内の温度とされてもよい。なお、この場合は、上記庫内ファン制御を、圧縮機２１のＯＮ・ＯＦＦサイクルのサイクル毎に実施するのではなく、例えば、３サイクル毎に一回実施することが好ましい。
【００４４】
（３）上記実施形態２では、継続時間Ｋ１内において凝縮器ファン２２Ａを間欠動作させる、すなわち、冷却調整処理において凝縮器ファン２２Ａを間欠動作させる例を示したが。これに限られない。例えば、冷却調整処理において凝縮器ファン２２Ａを停止させるようにしてもよい。この場合、凝縮器ファンを停止させることによって凝縮器ファンの冷却能力（凝縮能力）を最大限低下させることができる。それによって冷却調整処理を、圧縮機を継続運転する継続処理中に確実に行うことができ、冷却器に溜まる冷媒量を確実に増加させることができる。
【符号の説明】
【００４５】
５…冷却回路、１０…冷却貯蔵庫、１３…貯蔵室、１７…冷却器、１７Ａ…冷媒配管、１７ｉｎ…配管入力部、１７ｏｕｔ…配管出力部、１８…庫内ファン、２１…圧縮機、２２…凝縮器、２２Ａ…凝縮器ファン、２６…冷媒供給路、２６ｉｎ…冷媒入力部、２８…冷媒貯留構造、３０…冷媒還流路、３０ｏｕｔ…冷媒出口部、３１…庫内サーミスタ（庫内温度センサ）、３５…凝縮器出口サーミスタ（出口温度センサ）、４０…制御部、４１…ＣＰＵ、Ｋ１…継続時間（所定時間）
【図１】
2019120460.tif 000003
【図２】
2019120460.tif 000004
【図３】
2019120460.tif 000005
【図４】
2019120460.tif 000006
【図５】
2019120460.tif 000007
【図６】
2019120460.tif 000008
【図７】
2019120460.tif 000009
【図８】
2019120460.tif 000010
【図９】
2019120460.tif 000011